(57)【特許請求の範囲】
【請求項１】
左右の縦板と上下の横板の組み合わせで構成され、前枠の一側上下に取着した前枠蝶番部材と対をなす外枠蝶番部材を一方の縦板側に取着してなり、次の（ａ）〜（ｃ）の要件を具備してなることを特徴とするパチンコ機の外枠。
（ａ）外枠蝶番部材側の縦板を、基準とするパチンコ機の外枠より外寄りに配置し、もって基準とするパチンコ機の外枠より大きい横幅に設定する。
（ｂ）外枠蝶番部材側の縦板の前端面外側縁に、ほぼ前記横幅の増分相当の幅で且つ前枠の板厚とほぼ同程度の高さの凸部を突設する。
（ｃ）外枠蝶番部材側の縦板は、上の外枠蝶番部材に対応する上端部分に正面向かってクランク型に変位するクランク型変位部を形成すると共に下の外枠蝶番部材に対応する部分に正面向かって内側に出っ張る枕型変位部を突設し、外枠蝶番部材の取付け部分を、基準とするパチンコ機の外枠と同じ寸法関係にする。
【発明の詳細な説明】
【０００１】
【産業上の利用分野】
本発明は、パチンコ機のフレームを構成する外枠に関する。
【０００２】
【従来の技術】
従来のパチンコ機Ｐを図１０，図１１により説明する。パチンコ機Ｐは、外枠１Ｍと、該外枠１Ｍの前面に取着した外枠蝶番部材２ａに前枠蝶番部材２ｂを嵌めて開閉自在にした前枠３とを有する。前記外枠１Ｍは木製であって、左右の縦板４ａ，４ｂと上下の横板４ｃ，４ｄで縦長四角形に枠組みし、さらに、縦板４ａ，４ｂの下端前面に幕板５を配した形態である。また、外枠１Ｍの正面向かって右側の縦板４ｂには前枠３側のフック金具６が係合する係止金具７が内側面の上下に固着されている。なお、前枠３のフック金具６は該前枠３前面の錠装置Ｋで操作する。
【０００３】
前記前枠３は、合成樹脂製又は木製であって、窓穴８前面を覆うガラス扉枠９と前面板１０、また、窓穴８の裏側に着脱自在に装着した遊技板１１、さらに、上下の球皿１２，１２、そして、図示しないが機構板や発射装置など主要部品の殆ど全てが設けられている。該前枠３の横幅寸法は外枠１Ｍの横幅寸法Ｍ２とほぼ同寸であり、外枠１Ｍの前面にぴったり重合する。
【０００４】
ところでパチンコ機Ｐの大きさは、日本国内で統一されているのが望ましい。しかし、現実には地域によって大きさが異なる。例えば、関東地区仕様のパチンコ機Ｐは横幅が約５１８mmであり、関西地区仕様のパチンコ機は横幅が約５３０mmである。そして現在は、両地域の仕様に適合させるべく、一機種について二つのサイズのパチンコ機を製造している。
【０００５】
【発明が解決しようとする課題】
現在のパチンコ機は殆どの部品が前枠に設置されていてパチンコ機の製造コストの大部分が該前枠に集中している。上記のように一機種のパチンコ機についてサイズ別に二通りの前枠を製造することは、設計、製造、在庫管理などに影響を与える大きなコスト増大要因であり、不経済極まりないものであった。
【０００６】
本発明は上記に鑑みなされたもので、その目的は、前枠のサイズ変更を要することなく横幅寸法の大きさをある程度自由に拡張可能にしたパチンコ機の外枠を提供することにある。
【０００７】
【課題を解決するための手段】
上記の目的を達成するため本発明は、左右の縦板と上下の横板の組み合わせで構成され、前枠の一側上下に取着した前枠蝶番部材と対をなす外枠蝶番部材を一方の縦板側に取着してなり、次の（ａ）〜（ｃ）の要件を具備してなるパチンコ機の外枠を提供する。
（ａ）外枠蝶番部材側の縦板を、基準とするパチンコ機の外枠より外寄りに配置し、もって基準とするパチンコ機の外枠より大きい横幅に設定する。
（ｂ）外枠蝶番部材側の縦板の前端面外側縁に、ほぼ前記横幅の増分相当の幅で且つ前枠の板厚とほぼ同程度の高さの凸部を突設する。
（ｃ）外枠蝶番部材側の縦板は、上の外枠蝶番部材に対応する上端部分に正面向かってクランク型に変位するクランク型変位部を形成すると共に下の外枠蝶番部材に対応する部分に正面向かって内側に出っ張る枕型変位部を突設し、外枠蝶番部材の取付け部分を、基準とするパチンコ機の外枠と同じ寸法関係にする。
【０００８】
【作用】
基準とするパチンコ機の外枠より横幅を大きく設定した外枠に、基準とするパチンコ機の前枠と同一サイズの前枠を取り付けると、従来なら両者の寸法差により前枠と外枠の一側に階段状の段差ができる。しかし、本発明の外枠は、縦板の前端面の外側縁に凸部を突設したためそのような段差が生じることはなく、パチンコ機の前面がフラットになる。また、外枠蝶番部材側の縦板の上下に夫々変位部を設けて外枠蝶番部材の取付け部分を基準とするパチンコ機の外枠と同じ寸法関係にしたため、基準とするパチンコ機と同じ外枠蝶番部材がそのまま使える。
【０００９】
【実施例１】
以下に本発明の実施例１を図１〜図５を参照しつつ説明する。なお、図１はパチンコ機の横断平面図、図２はパチンコ機の正面図、図３は外枠蝶番部材を外した状態を示す外枠の斜視図、図４は図３矢示Ａ部に外枠蝶番部材を取り付けて拡大した外枠の要部拡大斜視図、図５は図３矢示Ｂ部に外枠蝶番部材を取り付けて拡大した外枠の要部拡大斜視図である。
【００１０】
パチンコ機ＰＬは、外枠１Ｌと、該外枠１Ｌの前面に取着した外枠蝶番部材２ａに前枠蝶番部材２ｂを嵌めて開閉自在にした前枠３とを有する。外枠１Ｌは木製であって、左右の縦板４ａ，４ｂと上下の横板４ｃ，４ｄで縦長四角形に枠組みし、さらに、縦板４ａ，４ｂの下端前面に幕板５を配した形態である。正面向かって左側の縦板４ａに、上の横板４ｃと、幕板５の夫々に跨るようにして前記外枠蝶番部材２ａ，２ａが二個取着されている。この外枠蝶番部材２ａについては後に詳述する。一方、正面向かって右側の縦板４ｂの内側面には前記前枠３ロック用の係止金具７が木ネジ１７で止着されている。該係止金具７は平面視クランク形状であって、直角に曲がる取付基盤７ａが縦板４ｂに当接し、残る一片の係合片７ｂが縦板４ｂに対して直角に立ち上がる。なお、外枠１Ｌの縦板４ａ，４ｂ及び横板４ｃ，４ｄは同じ板厚に統一されている。
【００１１】
外枠１Ｌの横幅寸法Ｓ２は、関東地区仕様の従来型パチンコ機Ｐを基準としてそれより大きい関西地区仕様のサイズに設定してある。そして、外枠蝶番部材２ａ側の縦板４ａの前端面外側縁に、基準とする外枠１Ｍの横幅寸法Ｍ２と当該外枠１Ｌの横幅寸法Ｓ２の差相当分の幅（実施例で約１１〜１２mm）で且つ前枠３の板厚とほぼ同程度の高さの凸部１３が突設してある。従って、他方の縦板４ｂから凸部１３までの寸法Ｓ３が前記基準となる関東地区仕様の前枠３の横幅寸法Ｍ２とほぼ同じになっている。一方、外枠１Ｌの内幅寸法Ｓ１は必然的に幅広の関西地区仕様である。
【００１２】
前記凸部１３は、縦板４ａと上の横板４ｃの接合形態を次のように変更することによって外枠１Ｌの上端まで完全な形で形成することができる。すなわち、従来、縦板４ａと横板４ｃの接合構造は、図３中他方の縦板４ｂと横板４ｃの接合形態と同一であって、縦板側の上端を凸形状に加工し、横板４ｃに凹部１８を形成して両者を嵌め合わせるものであった。しかし、この従来の接合構造では縦板４ａの上端が横板４ｃで挟まれるから凸部１３が横板４ｃで途切れて寸足らずになってしまう。そこで本実施例では、前記凹部１８を縦板４ａの上端に形成するようになし、それに対応する横板４ｃの端部を凸形に加工するようにして縦板４ａの前端面を外枠１Ｌの上端にまで臨ませるようにしたのである。また、前記凸部１３の前端面には、前枠３の表面と同じ材質のメラミン樹脂化粧板１４が貼着されている。もちろん、前枠３が合成樹脂製である場合は、凸部１３の前端面には前記合成樹脂と同一か又は類似する合成樹脂の化粧板を貼着する。
【００１３】
前記外枠蝶番部材２ａは、図４，図５に示したように、縦板４ａと横板４ｃ又は幕板５に取り付ける取付基盤１９と、該取付基盤１９と一体の軸受部材２０と、軸受部材２０に形成した軸孔３０とからなり、その軸孔３０で前枠３側の前枠蝶番部材２ｂの回転軸３１を受け支える。
【００１４】
而して、外枠蝶番部材２ａは、図１に示したように、回転中心Ｘ１が従来の外枠蝶番部材の回転中心Ｘ２より外枠１Ｌの横幅の増分相当量（実施例で約１１〜１２mm）だけ内寄りに補正してある。なお、図１には下側の外枠蝶番部材２ａが示されているのみであるが、上側の外枠蝶番部材２ａも同様であって、回転中心が外枠１Ｌの横幅の増分相当量だけ内寄りに補正されている。
【００１５】
本発明の外枠１Ｌは以上のように構成されているため、凸部１３から他方の縦板４ｂまでのサイズが基準とするパチンコ機Ｐの前枠３のサイズと一致する。従って、外枠１Ｌの外枠蝶番部材２ａに前枠蝶番部材２ｂを嵌めて前枠３を回動させると外枠１Ｌの係止金具７にフック金具６が係合して該前枠３がロックされる。また、前枠３の回転中心は、図１のように前枠３の前面より外側にあるため、前枠３を回動させると図１鎖線のように凸部１３から離れる方向に動く。従って、凸部１３と前枠３とが隙間無く密着していても支障無く前枠３の開閉が行える。このように外枠１Ｌを、基準とするパチンコ機Ｐの横幅寸法より大きく設定してもそのパチンコ機Ｐの前枠３がそのまま使用できる。一般にパチンコ機Ｐ，ＰＬの製造コストは前枠３がその殆どを占めるため、前枠３のサイズを統一することにより複数サイズに対応するための無駄なコストが大幅に削減できる。なお、実施例１では基準とするパチンコ機Ｐを関東地区仕様のものに設定したが、どのような大きさのパチンコ機を基準として設定するかは任意である。
【００１６】
ところで既述のように実施例１の外枠１Ｌは、縦板４ａ，４ｂ及び横板４ｃ，４ｄが同じ板厚に統一されている。その理由は、各板４ａ〜４ｄを同じ板厚に統一することで板材の加工が容易になるためコスト面で優位だからである。また、実施例１では凸部１３の前端面に前枠３と同じメラミン樹脂化粧板１４を貼着して前枠３に同化させるようにしたが、例えば凸部１３の前端面を鏡面仕上げにするなどパチンコ機ＰＬの模様として際立たせるようにしたり、或いは、図１に鎖線で示した台間球貸機１５とデザイン的な統一を図って目立たせないようにすることもできる。
【００１７】
【実施例２】
図６〜図９は実施例２を示す縦板４ａの要部断面図である。この実施例２は凸部１３を別部品化してそれを縦板４ａに装着するようにしたものであって、図６のように縦板４ａに溝３３を形成して合成樹脂製の凸部１３に突設した板状脚部１３ａを該溝３３に嵌め込み、それをビス３４で固定する方法と、図７のように縦板４ａの前端部に取付凸条３５を形成してそこに合成樹脂製の凸部１３を外嵌し、両者をビス３４で固定する方法と、図８のように縦板４ａの前端部外縁に階段状の段部３８を形成し、該段部３８に板状の凸部１３を嵌めてビス３４で固定する方法などがあり、さらに、図９のように縦板４ａに適当な間隔でボス３６を穿ち、該ボス３６に凸部１３から一体に突設したピン１３ｂを打ち込むようにすることもできる。該ピン１３ｂには軸方向に割溝３７を形成して適度な弾性を付与し、ボス３６との嵌め合いをきつくしておくのがよい。凸部１３をこのように別部品化して縦板４ａに取着する構成を採用することによって、例えば、パチンコ機ＰＬの搬送段階や設置段階などに凸部１３が損傷した場合、凸部１３のみを交換して簡単に補修することができる。この場合凸部１３を固定するビス３４は外枠１Ｌの内側から締め付けるようにするのがよい。そうすることによって設置済みのパチンコ機ＰＬの凸部１３が損傷した場合でも着脱が可能になる。また、凸部１３を別部品化しておけば、パチンコ機設置島に外枠１Ｌを設置した後に凸部１３を後付けすることも可能である。一般に凸部１３が損傷するのは搬送から設置までの段階で起きるため、設置後に凸部１３を後付けすれば損傷の危険度が激減する。
【００１８】
なお、上記実施例２のように凸部１３を別部品化して縦板に取り付ける技術は、係止金具７側の縦板４ｂに凸部１３を形成するようにしたパチンコ機の外枠にも同様に適用できる。
【００１９】
以下にそのような実施例を図１２〜図１４により詳細に説明する。なお、図１２は拡大部Ｚを含む背面側から見た外枠の斜視図、図１３はパチンコ機の横断平面図、図１４はパチンコ機の正面図である。
【００２０】
パチンコ機ＰＬは、外枠１Ｌと、該外枠１Ｌの前面に蝶番部材２，２で開閉自在に取り付けた前枠３とを有する。外枠１Ｌは木製であって、左右の縦板４ａ，４ｂと上下の横板４ｃ，４ｄで縦長四角形に枠組みし、さらに、縦板４ａ，４ｂの下端前面に幕板５を配した形態である。正面向かって右側の縦板４ｂの内側面には後述する枕部１６を介して前記前枠３ロック用の係止金具７が木ネジ１７で止着されている。該係止金具７は平面視クランク形状であって、直角に曲がる取付基盤７ａが外枠１Ｌ側の枕部１６に当接し、残る一片の係合片７ｂが縦板４ｂに対して直角に立ち上がる。なお、外枠１Ｌの縦板４ａ，４ｂ及び横板４ｃ，４ｄは同じ板厚に統一されている。
【００２１】
外枠１Ｌの横幅寸法Ｌ２は、前記関東地区仕様の従来型パチンコ機Ｐを基準としてそれより大きい関西地区仕様のサイズに設定してある。そして、縦板４ｂの前端面の外側縁に、基準とする外枠１Ｍの横幅寸法Ｍ２と当該外枠１Ｌの横幅寸法Ｌ２の差相当分の幅で且つ前枠３の板厚とほぼ同程度の高さの凸部１３を前記図６（又は図７〜図９）のような手段で突設する。従って、他方の縦板４ａから凸部１３までの寸法Ｌ３が前記基準となる関東地区仕様の前枠３の横幅寸法Ｍ２とほぼ同じになっている。一方、外枠１Ｌの内幅寸法Ｌ１は必然的に幅広の関西地区仕様であるが、縦板４ｂの内側面に木板で形成した枕部１６を固着して、該枕部１６から他方の縦板４ａまでの寸法Ｌ４が関東地区仕様の外枠１Ｍの内幅寸法Ｍ１と同一になるようにしてある。前記のように外枠１Ｌの係止金具７は枕部１６に止着されているため、該係止金具７は、関東地区仕様の前枠３のフック金具６に係合し得る位置に補正される。
【００２２】
この実施例のパチンコ機の外枠は、一方の縦板に幅補正用の凸部と係止金具の位置補正用の枕部を設けたことにより、前枠のサイズ変更を要することなく横幅寸法の大きさをある程度自由に拡張することができるため、例えば、関東地区仕様の前枠をそのまま使って関西地区仕様のパチンコ機を製造することができ、複数サイズのパチンコ機を製造するためのコストが大幅に削減できる効果がある。また、凸部と縦板が別部品化されているため、万が一凸部が損傷した場合でも交換して簡単に補修することができ、或いは、外枠を設置した後に凸部を後付けして損傷の危険度を激減させることができる。
【００２３】
而して、上記したパチンコ機の外枠から「左右の縦板と上下の横板の組み合わせで構成され、一方の縦板内側面に前枠ロック用の係止金具を取着してなり、（ａ）基準とするパチンコ機の外枠より大きい横幅に設定する、（ｂ）係止金具を取着した縦板の前端面外側縁に、ほぼ前記横幅の増分相当の幅で且つ前枠の板厚とほぼ同程度の高さに形成した凸部を取り付ける、（ｃ）縦板と係止金具の間又は係止金具自体に枕部を設けて係止金具の係合部位をほぼ前記横幅の増分相当量だけ内寄りに補正する、の要件を具備してなるパチンコ機の外枠」という技術的思想が把握できる。
【００２４】
【実施例３】
図１５〜図２０は実施例３を示すものであって、図１５は外枠の横断平面図、図１６は外枠の斜視図、図１７は外枠の要部斜視図、図１８は外枠の裏面図、図１９はパチンコ機の正面図、図２０はパチンコ機の平面図である。なお、図１５〜図２０において前記図１〜図１４と同一の符号を付した部分は、それらと同一又は同義の部分である。
【００２５】
実施例３の外枠１Ｌは、外枠蝶番部材２ａ側の縦板４ａを合成樹脂により形成したものであり、外枠蝶番部材２ａの回転中心Ｘ１を内寄りに補正する手段が該縦板４ａに設けてある。すなわち、縦板４ａは、図１８に示したように、上の外枠蝶番部材２ａに対応する上端部分にクランク型変位部３２を形成すると共に下の外枠蝶番部材２ａに対応する部分に枕型変位部３３を突設し、その両変位部３２，３３の部分だけ基準とするパチンコ機Ｐの外枠１Ｍと同じ寸法関係にしてある。なお、図１８に基準とするパチンコ機Ｐの縦板ラインを二点鎖線で、また、図１５に一点鎖線で示した。そのため、実施例３の外枠１Ｌには、基準とするパチンコ機Ｐと同じ外枠蝶番部材２ａがそのまま使用可能である。従って、部品の共通化によるコスト削減効果がある。
【００２６】
また、縦板４ａは図１８において全体の厚みを枕型変位部３３の部位と同じ（図１８において厚さＴ）にすることも可能であるが、必要な部分にのみ変位部材３２，３３を形成して外枠蝶番部材２ａの位置補正をした方が、縦板４ａの軽量化及び材料コストの削減面で有利である。また、合成樹脂製の縦板４ａは、図１６に示したようにハニカム構造のリブ３４が外向きに形成してある。こうすることにより、必要十分な強度を維持しつつ、軽量化及び材料コストの削減を図ることができる。
【００２７】
なお、図１５，図１７に示したように実施例３の外枠蝶番部材２ａは、ボルト３５とナット３６により縦板４ａに固着されている。
また、外枠蝶番部材２ａには軸部材２０１に上向きの回転軸３０１が突設されており、一方、これと対をなす前枠蝶番部材２ｂには前記回転軸３０１に嵌まる軸孔３１０（図２０参照）が形成されている。
また、言うまでもなく、実施例３の外枠１Ｌに実施例２の技術を組み合わせるようにすることもできる。
【００２８】
以上の説明から明らかなように実施例３の外枠１Ｌは、縦板４ａ又は必要により下の横板４ｄ及び幕板５を交換するだけで、前枠３のサイズ変更を要することなくパチンコ機のワイド化が可能になる。
【００２９】
【発明の効果】
本発明の外枠は、外枠蝶番部材側の縦板に幅補正用の凸部を設けると共に前枠取付用の外枠蝶番部材の位置を縦板に形成した変位部により横幅の増分相当量だけ内寄りに補正したため、前枠のサイズ変更を要することなく横幅寸法の大きさをある程度自由に拡張することができ、例えば、関東地区仕様の前枠をそのまま使って関西地区仕様のパチンコ機を製造することができる。現在のパチンコ機は殆どの部品が前枠に設置されていて、パチンコ機の製造コストの大部分が該前枠に集中しているため、前枠の共通化によって複数サイズのパチンコ機を製造するためのコストが大幅に削減できる効果がある。また、外枠蝶番部材側の縦板の上下に夫々変位部を設けて外枠蝶番部材の取付け部分を、基準とするパチンコ機の外枠と同じ寸法関係にしたため、基準とするパチンコ機と同じ外枠蝶番部材がそのまま使える。従って、部品の共通化によるコスト削減効果がある。
【図面の簡単な説明】
【図１】  パチンコ機の横断平面図である。
【図２】  パチンコ機の正面図である。
【図３】  外枠蝶番部材を外した状態を示す外枠の斜視図である。
【図４】  図３矢示Ａ部に外枠蝶番部材を取り付けて拡大した外枠の要部拡大斜視図である。
【図５】  図３矢示Ｂ部に外枠蝶番部材を取り付けて拡大した外枠の要部拡大斜視図である。
【図６】  実施例２を示す縦板の要部断面図である。
【図７】  実施例２を示す縦板の要部断面図である。
【図８】  実施例２を示す縦板の要部断面図である。
【図９】  実施例２を示す縦板の要部断面図である。
【図１０】  従来技術を示すパチンコ機の横断平面図である。
【図１１】  従来技術を示すパチンコ機の正面図である。
【図１２】  拡大部Ｚを含む背面側から見た外枠の斜視図である。
【図１３】  パチンコ機の横断平面図である。
【図１４】  パチンコ機の正面図である。
【図１５】  実施例３を示す外枠の横断平面図である。
【図１６】  実施例３を示す外枠の斜視図である。
【図１７】  実施例３を示す外枠の要部斜視図である。
【図１８】  実施例３を示す外枠の裏面図である。
【図１９】  実施例３を示すパチンコ機の正面図である。
【図２０】  実施例３を示すパチンコ機の平面図である。
【符号の説明】
１Ｍ，１Ｌ…外枠
２ａ  …外枠蝶番部材
２ｂ  …前枠蝶番部材
３  …前枠
４ａ，４ｂ…縦板
４ｃ，４ｄ…横板
１３…凸部
Ｐ，ＰＬ…パチンコ機
Ｍ２，Ｌ２，Ｓ２…横幅寸法
３２  …クランク型変位部
３３  …枕型変位部
【図１】
0003985631.tif 000002
【図２】
0003985631.tif 000003
【図３】
0003985631.tif 000004
【図４】
0003985631.tif 000005
【図５】
0003985631.tif 000006
【図６】
0003985631.tif 000007
【図７】
0003985631.tif 000008
【図８】
0003985631.tif 000009
【図９】
0003985631.tif 000010
【図１０】
0003985631.tif 000011
【図１１】
0003985631.tif 000012
【図１２】
0003985631.tif 000013
【図１３】
0003985631.tif 000014
【図１４】
0003985631.tif 000015
【図１５】
0003985631.tif 000016
【図１６】
0003985631.tif 000017
【図１７】
0003985631.tif 000018
【図１８】
0003985631.tif 000019
【図１９】
0003985631.tif 000020
【図２０】
0003985631.tif 000021